(57)【特許請求の範囲】
【請求項１】
少なくとも、シャッターの開閉を制御するドライバを固定配置できる本体部と、当該本体部を覆う状態で当該本体部に取り付け可能となっている外箱体とを備えており、
上記シャッターが、シャッター本体を巻き取らずに滑走させて格納するスライド式であり、
上記本体部は、当該シャッターが設置される建築物の天井部位であり、かつ、当該シャッターの設けられる入口から見て上記建築物の奥側となる位置に取り付けられ、この本体部に上記外箱体が取り付け可能となっており、
さらに、上記外箱体には、上記ドライバに対応する位置に形成される開口部と、開口部用固定部材によって外箱体に固定された状態で、当該開口部を閉止する蓋部材とを備えており、
当該蓋部材には、上記開口部用固定部材による外箱体への固定を解除した状態であっても、当該外箱体及び本体部の少なくとも何れかの一部に引っ掛かることによって、当該外箱体からの離脱を防止する爪部材が設けられていることを特徴とするスライド式シャッターのドライバ収容体。
【請求項２】
さらに、操作部が設けられているとともに、当該操作部に対応する外箱体の部位は、当該外箱体の厚み方向に対して傾斜した傾斜面となっていることを特徴とする請求項１に記載のドライバ収容体。
【請求項３】
さらに、上記外箱体は、当該外箱体及び上記本体部にそれぞれ形成された固定孔に、本体用固定部材を貫通させることによって、上記本体部に取り付けられることを特徴とする請求項１又は２に記載のドライバ収容体。
【請求項４】
上記外箱体の固定孔は、上記本体用固定部材を貫通可能とする幅を有する帯状の孔となっているとともに、上記本体部には、当該本体部の固定孔に隣接して、上記外箱体の固定孔に嵌合する突起部が設けられていることを特徴とする請求項３に記載のドライバ収容体。
【請求項５】
さらに、スライド式シャッターを開閉するための駆動部を収容可能とすることを特徴とする請求項１乃至４の何れか１項に記載のドライバ収容体。
【請求項６】
上記外箱体の厚みが４０ｃｍ以下であることを特徴とする請求項１乃至５の何れか１項に記載のドライバ収容体。
【請求項７】
上記外箱体の材質として、少なくともＡＢＳ樹脂が用いられることを特徴とする請求項１乃至６の何れか１項に記載のドライバ収容体。
【請求項８】
請求項１乃至７の何れか１項に記載のドライバ収容体を備えるスライド式シャッター。
【発明の詳細な説明】
【技術分野】
【０００１】
本発明は、シャッター本体を滑走させるスライド式シャッターに備えられる、ドライバ等を収容する収容体と、当該収容体を備えるスライド式シャッターとに関するものである。
【背景技術】
【０００２】
ドア（扉）は、建築物や乗り物等の出入り口に設けられるものであり、さまざまな種類が存在する。このうち、シャッターは鎧戸とも呼ばれ、長方形状の板部材を複数枚、連続して接続することにより形成されているため、接続部分の可動性により、シャッター本体を巻き上げて格納することができる。言い換えれば、シャッターの開閉は、シャッター本体を巻き上げて格納したり、巻き上げたシャッター本体を下ろしたりすることで実現される。このような従来のシャッターを便宜上「巻き上げ式」と称する。
【０００３】
さらに近年では、上記巻き上げ式のシャッターとは異なり、シャッター本体を巻き上げずにレール等の支持部材で上方に誘導して、建築物の天井側へ滑走（スライド）させて格納する「スライド式」（あるいは「上方スライド式」）のシャッターも広く用いられている（例えば、オーバースライダー（登録商標）、オーバーヘッドドア等）。
【０００４】
スライド式のシャッターは、巻き上げ式のシャッターと比較して、開閉時の騒音が小さい、開閉が円滑かつ高速化しやすい、閉鎖時の機密性を高めることが可能等の利点を有しているため、多くの分野で利用が広がっている。
【０００５】
ところで、巻き上げ式、スライド式に関わらず、シャッターの開閉を電気的に制御したシャッターすなわち「電動シャッター」が広く用いられている。この電動シャッターでは、シャッターの開閉動作を制御するドライバ（制御部）等は、箱状の収容体（筐体、ケーシング、ボックス、カバー）に収容されている。上記収容体が配置される位置は、シャッターの種類や用途等に応じて適宜設定されるが、配置位置によっては、シャッターの設置時またはメンテナンス時の作業性に影響を与えたり、シャッターを設ける建築物（例えばガレージ、倉庫、商店等）の内部容積に影響を与えたりする可能性がある。それゆえ、従来から収容体の小型化を図る技術が種々検討されている。
【０００６】
例えば、特許文献１には、小形の電動シャッター開閉機に対して、駆動部およびドライバを筐体に収容したボックス部を一体化した構成において、駆動用電動機に連結される減速機構に併設した駆動部の内部に、小型化したメカニカルカウンターを含む制御部等を一体的に内蔵する技術が開示されている。この技術によれば、対のメカニカルカウンターを備える構成であっても、ボックス部（収容体に相当）の外観形状が大きくなり実装での収まりが悪くなる等の問題を回避できるとされる。
【０００７】
特許文献１に係る技術は、収容体を電動シャッター開閉機に一体化させる構成を開示しているが、前述したスライド式シャッターでは、収容体の配置位置は、当該シャッターを設置する建築物の天井部分であり、かつ、シャッターの開閉位置（すなわち建築物の入口側）から見て後方となる位置に設けられることが多い。これは、シャッター本体の格納位置が建築物の天井部位に相当するためである。
【特許文献１】特開平１０−１０２９５６号公報（１９９８年４月２１日公開）
【発明の開示】
【発明が解決しようとする課題】
【０００８】
ここで、シャッターの設置時やメンテナンス時には、上記収容体内の制御部（ドライバ等）を電気的に接続する作業（便宜上、接続作業と称する）が必要となるが、このような接続作業を行うときには、収容体本体を取り外す必要がある。収容体は通常、ネジ又はボルト等によりシャッターのフレーム、壁、又は天井等に固定されている。それゆえ、収容体が天井に設けられている構成では、上方にある収容体本体を、落下しないように注意しながら取り外さなければならないため、取り外し作業そのものが煩雑になるという課題を有する。
【０００９】
また、収容体をレール等により支持した上で、ネジ等で固定することも考えられるが、収容体の落下の可能性はほぼ無くなるものの、本来の目的である接続作業の前に、収容体本体を取り外す作業を行う必要がある点では同じである。さらに、収容体内にモータや減速機等の駆動源も収容する場合、収容体そのものが大型化するため、収容体本体の取り外し作業がより煩雑になるという課題も生じる。
【００１０】
本発明は上記課題に鑑みなされたものであって、スライド式のシャッターに設けられる収容体において、当該収容体が大型化しても、内部に収容されるドライバを電気的に接続する作業（接続作業）の作業性を向上することを可能とする技術を提供することにある。
【課題を解決するための手段】
【００１１】
本発明者は、上記課題に鑑み鋭意検討した結果、収容体本体におけるドライバの設けられている部位に開口部を設けるとともに、当該開口部を、爪部材を有する蓋部材で閉止することによって、収容体本体を取り外すことなく接続作業を可能とするとともに、収容体本体や蓋部材の落下を有効に回避できることを見出し、本発明を完成させるに至った。
すなわち、本発明にかかるスライド式シャッターのドライバ収容体は、上記の課題を解決するために、少なくとも、シャッターの開閉を制御するドライバを固定配置できる本体部と、当該本体部を覆う状態で当該本体部に取り付け可能となっている外箱体とを備えており、上記シャッターが、シャッター本体を巻き取らずに滑走させて格納するスライド式であり、上記本体部は、当該シャッターが設置される建築物の天井部位であり、かつ、当該シャッターの設けられる入口から見て上記建築物の奥側となる位置に取り付けられ、この本体部に上記外箱体が取り付け可能となっており、さらに、上記外箱体には、上記ドライバに対応する位置に形成される開口部と、開口部用固定部材によって外箱体に固定された状態で、当該開口部を閉止する蓋部材とを備えており、当該蓋部材には、上記開口部用固定部材による外箱体への固定を解除した状態であっても、当該外箱体及び本体部の少なくとも何れかの一部に引っ掛かることによって、当該外箱体からの離脱を防止する爪部材が設けられていることを特徴としている。
上記ドライバ収容体においては、さらに、操作部が設けられているとともに、当該操作部に対応する外箱体の部位は、当該外箱体の厚み方向に対して傾斜した傾斜面となっていることが好ましく、上記外箱体は、当該外箱体及び上記本体部にそれぞれ形成された固定孔に、本体用固定部材を貫通させることによって、上記本体部に取り付けられることがより好ましく、上記外箱体の固定孔は、上記本体用固定部材を貫通可能とする幅を有する帯状の孔となっているとともに、上記本体部には、当該本体部の固定孔に隣接して、上記外箱体の固定孔に嵌合する突起部が設けられていることがさらに好ましい。
また、上記ドライバ収容体においては、スライド式シャッターを開閉するための駆動部を収容可能としてもよい。
さらに、上記ドライバ収容体においては、上記外箱体の厚みが４０ｃｍ以下であることがより好ましい。加えて、上記記外箱体の材質として、少なくともＡＢＳ樹脂を好適に用いることができる。
加えて、本発明には、上記構成のドライバ収容体を備えるスライド式シャッターも含まれる。
【発明の効果】
【００１２】
以上のように、本発明にかかる収容体は、当該収容体の取り付け部位から収容体本体を取り外すことなく、蓋部材を取り外すだけで、制御部における接続作業を実施することができるという効果を奏する。しかも、収容体本体が、傾斜面を有する形状、及び、厚みに制限のある形状の少なくとも何れかであれば、上記接続作業の向上という効果に加えて、収容体を設置した状態でも、収容体が嵩張って建築物内部の空間の実効容積を小さくするような事態を回避することができるという効果も奏する。
【発明を実施するための最良の形態】
【００１３】
本発明の一実施形態について図面に基づいて説明すれば、以下のとおりである。なお、本発明は以下の実施形態にのみ限定されるものではなく、特許請求の範囲に示した範囲で種々の変更が可能であり、異なる実施形態や具体的な実施例にそれぞれ開示された技術的手段を適宜組み合わせて得られる実施形態についても本発明の技術的範囲に含まれることは言うまでもない。
【００１４】
本発明に係る収容体は、シャッター本体を巻き取らずに滑走させて格納するスライド式シャッターに用いられるものであり、少なくとも、シャッターの開閉を制御するドライバ（制御部）を固定配置できる本体部と、当該本体部を覆う状態で当該本体部に取り付け可能となっている外箱体とを備えている。さらに、例えば図１（ａ）（ｂ）に示すように、上記外箱体１１の側面には、開口部１２（図中点線で表示）が形成されており、この開口部１２を閉止する蓋部材２０が取り付けられている。当該蓋部材２０は、ネジ２３（図１（ａ）参照）及び本体部３０のネジ穴３６（図１（ｂ）参照）により収容体１０に取り付けられる。上述したように、上記外箱体１１の内部には、上記本体部３０が収容されているが、上記蓋部材２０を外した状態では、図１（ｂ）に示すように、開口部１２に対応する位置には、シャッターの動作を制御するためのドライバ（制御部）３１が配置されている。
【００１５】
上記本体部３０の具体的な構成は特に限定されるものではないが、例えば、図２右側の前面図に示すように、本実施形態では、本体部３０は、内箱体３２の前方に操作パネル３３を備えており、かつ、図２左側の左面図に示すように、内箱体３２内にドライバ３１を配置している。当該ドライバ３１には、電気的な接続を行うための端子３４が複数設けられており、内箱体３２の左側においてこれら複数の端子３４が露出している構成となる。
【００１６】
上記外箱体１１には、上記ドライバ３１に対応する位置に上記開口部１２が形成される。したがって、当該開口部１２の具体的な構成は特に限定されるものではなく、ドライバ３１の形状、特に端子３４の位置や全体配置に合わせた形状となるように形成されればよい。本実施形態では、図１（ｂ）及び図２左側図に示すように、複数の端子３４が、収容体１０の前面の傾斜に沿って一列に並んで配置しているので、これら端子３４の列に対応する位置に十分な開口が形成されるように、略長方形状の開口部１２が形成されている。
【００１７】
上記蓋部材２０を収容体１０（外箱体１１）に取り付ける手法は特に限定されるものではないが、本実施形態のように、ネジ２３等の開口部用固定部材で固定できるようになっていることが好ましい。つまり、上記蓋部材２０は、ネジ２３等の開口部用固定部材によって外箱体１１に固定された状態で、上記開口部１２を閉止するようになっていることが好ましい。本発明に係る収容体１０は、前述したように、建築物の天井に設けられるため、蓋部材２０を確実に固定できる部材（ネジ、ピン等）を用いることにより、蓋部材２０の落下の可能性をより低減することができる。さらに本発明では、後述するように、ネジ２３で固定しなくても、蓋部材２０は爪部材２１（図１（ａ）参照）によって外箱体１１に仮固定することができる。
【００１８】
さらに本実施形態では、収容体１０の左面からアンテナ３５を露出させるために、上記開口部１２は、アンテナ３５周囲にも十分な開口が形成されるような形状となっている。位置関係から見れば、本体部３０の前面側上方の位置にアンテナ３５が設けられ、当該アンテナ３５に隣接する位置から、収容体１０の下方に向かって、当該収容体１０の前面１３の傾斜に沿って複数の端子３４が一列に並んで配置している。それゆえ、収容体１０の上方の位置となるアンテナ３５の近傍において、アンテナ３５周囲の開口が略長方形状に形成されるとともに、この長方形状の開口の長手方向の辺に隣接かつ傾斜する形で、端子３４の列に対応した略長方形状の開口が形成されている。つまり、上記開口部１２の形状は、図１（ｂ）に示すように、収容体１０の左面前方において収容体１０の前面１３の傾斜に沿うように形成される、略台形状の形状となっている。
【００１９】
ここで、上記開口部１２においては、端子３４やアンテナ３５の近傍の位置において、可能な限り大きめの開口が形成されるような形状となっていることが好ましい。例えば図１（ｂ）では、アンテナ３５近傍の略長方形状の開口は、長手方向の辺が収容体１０の水平方向に沿っており、かつ、長手方向に直行する方向の辺は、収容体１０の上下方向に沿っている。さらに、端子３４の列に対応した略長方形状の開口は、長手方向の辺が何れも収容体１０の前面に沿っているため、全体的に収容体１０の水平方向に対して傾斜しているが、端子３４の列の位置は、この傾斜した長方形状の開口における収容体１０の前側に偏在している。言い換えれば、端子３４の列周囲の開口は、端子３４の列の面積よりも大きくなっている。
【００２０】
上記のように、開口部１２の大きさが、端子３４やアンテナ３５に対応する形状よりも大きくなっている理由としては、（１）電気的な接続作業（接続作業）の便宜と、（２）蓋部材２０の付け外しの容易さとが挙げられる。例えば、アンテナ３５の露出のためだけであれば、当該アンテナ３５近傍の開口は、収容体１０の水平方向に長さを持つ略長方形状の形状にする必要はなく、正方形状にすればよいし、端子３４の列近傍の開口は、端子３４の列が開口の中央部となる程度の小さい開口にすればよい。しかしながら、開口を大きくとることによって、端子３４等の接続作業の作業性が向上できるとともに、図１（ａ）に示すように、開口部１２全体を覆う蓋部材２０を略台形状に形成できることによって、蓋部材２０を容易に付け外すことができる。
【００２１】
まず、作業性向上の便宜について見れば、端子３４に対して電気的な接続を行う場合、比較的細かい作業が必要となる。このとき、開口部１２が、端子３４の列の面積とあまり変わらない大きさであれば、外箱体１１が細かい作業の妨げとなる可能性がある。これに対して、開口部１２が端子３４やアンテナ３５に対応する形状よりも大きくなっていれば、作業空間を確保することが可能となり、作業性の向上を図ることができる。
【００２２】
ここで、開口部１２の具体的な大きさや形状は特に限定されるものではないが、少なくとも端子３４の列周囲に形成する開口は、軍手等の作業用手袋をした状態の指が入る程度の大きさであることが非常に好ましい。また、開口部１２の形状は、当該開口部１２を形成した外箱体１１において、指が引っ掛かりやすいような突起ができる限り形成されない形状であることが非常に好ましい。本実施形態では、図１（ｂ）に示すような、略台形状の形状を有しているため、上記突起に該当するような形状は生じていない。
【００２３】
さらに、本実施形態では、蓋部材２０の収容体１０上方側には、当該蓋部材２０を外箱体１１に固定するためのネジ穴３６が設けられているだけでなく、本体部３０の上方枠３７に引っ掛けるかたちで爪部材２１が設けられている。一方、蓋部材２０の収容体１０下方側の辺にも、開口部１２の下方辺１４（図１（ａ）（ｂ）参照）の位置で、外箱体１１の内部側に当接する爪板２２が設けられている。これによって、本体部３０の上方枠３７と開口部１２の下方辺１４との間で、略対向する爪部材２１及び爪板２２によって、当該蓋部材２０を挟み込むように固定することが可能となる。
【００２４】
上記構成によれば、蓋部材２０は、ネジ２３やピン等の開口部用固定部材で外箱体１１及び本体部３０へ固定することができるが、さらに、上記爪部材２１を設けることによって、ネジ等による外箱体３０への固定を解除した状態であっても、当該本体部３０の一部に引っ掛かることによって、外箱体１１から蓋部材２０の離脱を防止することができる。前述したように、上記収容体１０は建築物の天井に取り付けられるため、蓋部材２０の落下を考慮する必要がある。ここで、確実に蓋部材２０を取り付けるには、ネジ２３等の開口部用固定部材を用いるだけでよいが、シャッターの設置時やメンテナンス時には上記ドライバ３１に対して接続作業を行う必要がある。このとき、蓋部材２０は取り外し容易なようにしておけば、蓋部材２０の仮固定が可能となり、接続作業の作業性を向上することができる。
【００２５】
さらに、接続作業後、万が一、ネジ２３による蓋部材２０の固定が不十分であったとしても、爪部材２１による仮固定によって蓋部材２０が容易に落下することがない。それゆえ、外箱体１１による本体部３０のカバーの作用をより確実なものとすることができる。
【００２６】
上記爪部材２１及び爪板２２の具体的な構成は特に限定されるものではないが、例えば図３（ａ）〜（ｃ）に示すような、一般的な構造を採用することができる。この構造の爪部材２１は、略正方形状に形成された孔２４から外箱体１１の内側となる方向に向かって、蓋部材２０の本体から連続してつながった状態でＵ字状に突出する折曲部２５と、この折曲部２５から上記孔２４を介して外箱体１１の外側に向かって突出する突出端２６とを備えている。また、図３（ｂ）に示すように、爪部材２１の形成されている端部に対向する位置の端部には、爪板２２が設けられている。
【００２７】
上記構造の爪部材２１では、突出端２６から外箱体１１の内部側の折曲部２５に向かう途中で、上記孔２４の縁（蓋部材２０本体）と接する箇所に、係止突起２７（図３（ｂ）参照）が形成されている。また、爪部材２１及び爪板２２は、互いに蓋部材２０の両端側に形成されている。これによって、図３（ａ）に示すように、蓋部材２０を取り付ける場合には、開口部１２の縁に先に爪板２２を引っ掛けてから、爪部材２１の突出端２６を押し込むことによって、係止突起２７が本体部３０の上方枠３７に引っ掛かる。そのため、開口部１２の縁における対向する二箇所において、爪部材２１及び爪板２２が引っ掛かることになり、蓋部材２０が開口部１２を閉止するように仮固定される。一方、蓋部材２０を取り外す場合には、図３（ｃ）に示すように、突出端２６を上記孔２４の内側に向けて押し下げることによって、係止突起２７と上方枠３７との接触状態が解除されるため、蓋部材２０をとりはずすことができる。
【００２８】
上記構造の爪部材２１及び爪板２２のより具体的な構成（サイズ等）は特に限定されるものではなく、開口部１２、蓋部材２０の形状、材質等の諸条件によって公知の構成を適宜使用することができる。ここで、爪部材２１の突出端２６が蓋部材２０の表面から突出する長さ（突出量）は、１〜２ｍｍの範囲内が好ましい。接続作業を行う作業者は、通常、素手ではなく、軍手等の作業用の手袋を付けているため、この状態で蓋部材２０を取り外すことになる。一般的な用途で用いられる「爪部材」は、素手で触れることが多いが、この場合、指の爪を突出端に引っ掛けることが可能なので、突出量は１ｍｍ以下でもよい。しかしながら、軍手等を付けた状態で蓋部材２０を外す場合には、指の爪を用いることができないばかりか、指そのものが厚手の布に覆われることになるので、突出量が少なければ、効率的に蓋部材２０を取り外すことができない。一方、突出端２６の突出量が大きすぎる（突出端２６が蓋部材２０の表面から突出しすぎる）と、蓋部材２０は取り外し易くなるが、収容体１０全体として見たときに不要な突出部位が生じることになるので、作業中、この突出部分に何かを引っ掛ける可能性が高くなって作業効率が低下する。そこで、突出量の上限は２ｍｍ程度が好ましい。
【００２９】
また、突出端２６の幅も、作業者が軍手等の手袋を付けていることを考慮した幅とすることが好ましい。一般的には、１０〜１５ｍｍ程度の範囲内であればよい。１０ｍｍ以下となると、突出端２６の幅が狭すぎて、突出端２６の押し下げ性が低下するおそれがある。一方、１５ｍｍを超えると、突出端２６の押し下げ性に比較して爪部材２１（孔２４）が大きくなりすぎる傾向にある。
【００３０】
ここで、上記収容体１０には、図２に示すように、前面に操作パネル（操作部）３３が設けられているが、この操作パネル３３に対応する前面は、図１（ａ）（ｂ）並びに図４から図６に示すように、外箱体１１の厚み方向（上下方向）に対して傾斜していることが好ましい。外箱体１１の前面１３を傾斜させることによって、前面１３の面積そのものが大きくなる。これによって、操作パネル３３を設ける部位の面積を拡大できる。しかも、操作パネル３３そのものも傾斜するので、水平面や垂直面に操作パネル３３が設けられる場合と比較して、下方から使用者が操作パネル３３を視認したり操作したりし易くなるという利点もある。
【００３１】
加えて、傾斜した前面１３に操作パネル３３を設けることで、図１（ａ）（ｂ）に示すように、側面（本実施形態では左側面）の傾斜面（前面１３）側の位置に、当該傾斜に沿って端子３４を列状に設けることができる。そのため、各端子３４は互いに水平方向において位置のずれを生じることになる。図４では、本実施形態の収容体１０を備えるスライド式シャッターの一例を模式的に示しており、上記収容体１０は、シャッター４０が設置される建築物の天井部位であり、かつ、当該シャッターの設けられる入口から見て上記建築物の奥側となる位置に取り付けられている。この構成からも明らかなように、収容体１０に対して接続作業等を行う場合には、下方から上方に向かっての作業を行うことになる。ここで、端子３４の配列方向が垂直（上下）方向であれば、各端子３４の間には、水平方向の位置のずれがないので、下方からの接続作業は、上下方向に位置を変えながら行うことになる。一方、本実施形態のように、端子３４の配列方向が前面１３の傾斜に対応して傾斜していれば、上記のように、各端子３４の間では水平方向に位置のずれが生じる。
【００３２】
上記収容体１０の取り付けの高さにもよるが、天井部位に収容体１０が取り付けられるということは、台座や脚立等によって接続作業をすることになる可能性が高い。この状態で、端子３４が垂直方向に並んでいる場合には、下方から端子３４の列全体を見渡しにくくなり、かつ、各端子３４の間で水平方向での作業間隔を事実上確保できない。これに対して、端子３４が斜めに並んでいれば、水平方向の位置の違いにより端子３４の列全体を見渡しやすくなるとともに、水平方向の作業間隔を確保できることになるので、接続作業の作業性を向上することが可能になる。特に本発明では、外箱体１１を全て取り外して接続作業を行うのではなく、蓋部材２０を取り外して、側面に形成された開口部１２から接続作業を行うので、作業性の向上を図るには、各端子３４の間に作業間隔を確保できる方がより好ましい。このように、本発明では、外箱体１１に開口部１２を形成する構成に加えて、前面１３が傾斜している構成を組み合わせることによって、接続作業の作業性をより一層向上できるという利点が得られる。
【００３３】
さらに、上記収容体１０は、図４に示すように、基本的に天井に設置することになるが、収容体１０の厚み（上下方向の大きさ）が大きくなりすぎると、天井から収容体１０が過剰に突出することになる。この場合、建築物の実質的な容積が減少する可能性がある。例えば建築物が自動車用ガレージであるとすれば、天井に突出部分が生じると、ガレージ内に格納できる自動車の車高は、当該建築物の床から天井までではなく、床から収容体１０までの高さとなり、高さ制限が生じてしまう。それゆえ、収容体１０の厚みはできる限り小さくすることが好ましい。
【００３４】
ここで、外箱体１１の厚みは４０ｃｍ以下であることが好ましい。図４に示すように、スライド式シャッターの場合、シャッター４０を天井側に引き上げるためのキャリッジレール４２と、シャッター４０の位置をガイドするガイドレール４３とが設けられる。そこで、これら各レール４２・４３の設置スペースと収容体１０の厚みとに大きな差がなければ、建築物の実質的な容積を減少する可能性を事実上無視できる程度に低減することができる。本発明では、収容体１０の厚みの上限が４０ｃｍ以下であれば、各レール４２・４３の設置スペースと収容体１０の厚みとに大きな差が生じないとみなすことが可能である。もちろんシャッターや建築物の構造や設置状況等の諸条件によっては、厚みが４０ｃｍを超えてもよいことは言うまでもない。
【００３５】
加えて、本発明に係る収容体１０では、上述のように、前面１３が傾斜していることから、収容体１０の前面１３を壁に近づけても、当該前面１３に設けられる操作パネル３３の視認性や操作性を妨げることがない。すなわち、前面１３が壁に隣接するように収容体１０を設けたとしても、操作パネル３３が傾斜しているため、下方からの視認性や操作性を十分確保することができる。しかも、前面１３を傾斜することで、操作パネル３３を設ける面積を拡大できるので、操作パネル３３の大きさを基準として収容体１０の厚みを設定しなくてもよくなる。それゆえ、収容体１０による高さ制限の発生をより一層有効に抑制することができる。
【００３６】
ここで、上記前面１３の傾斜角度は特に限定されるものではないが、垂直方向に対して４０〜５５°の範囲内であることが好ましく、４４〜５０°の範囲内であることがより好ましく、４５〜４７°の範囲内であることが特に好ましい。このように、傾斜角の範囲を、４５°（直角の１／２）を中心とし、かつ、水平側にシフトする範囲内に設定すれば、操作パネル３３の視認性の向上や収容体１０の厚み抑制等の効果をより一層向上することができる。
【００３７】
なお、本実施形態では、操作パネル３３を設ける位置を収容体１０の前面１３としたが、もちろん本発明はこれに限定されるものではなく、操作パネル３３の視認性や操作性を妨げない限り、どのような位置に設けてもかまわない。ただし、上述したように、操作部パネル３３を設ける外箱体１１の部位は、当該外箱体１１の厚み方向に対して傾斜した傾斜面となっていることが好ましい。
【００３８】
ここで、図４に示す例では、シャッター４０を天井側に引き上げるためのキャリッジレール４２が収容体１０とつながっている。これは、本実施形態の例では、収容体１０がドライバ３１だけでなく、シャッターを開閉するための駆動部を収容しているためである。このように、本発明に係る収容体１０においては、モータ及び変減速機等を含む駆動部が収容されていることが好ましい。これによって、スライド式シャッターの要部構成をまとめてコンパクトにすることができる。
【００３９】
上記本体部３０及び外箱体１１のより具体的な構成（例えば、材質、サイズ、細部の形状等）は特に限定されるものではなく、厚みの上限を４０ｃｍに設定することが好ましい以外は、本発明の属する技術分野で公知の構成を好適に採用することができる。
【００４０】
また、上記外箱体１１の材質も特に限定されるものではないが、収容体１０そのものが天井に設けられることから、できる限り軽量の材質であることが好ましい。また、本体部３０を収容し保護する程度の強度や耐久性も必要になることから、一般的なプラスチック（樹脂）を用いることが好ましい。ここで、具体的な樹脂としては特に限定されるものではないが、ＡＢＳ樹脂およびポリアセタールを好ましく用いることができ、ＡＢＳ樹脂を特に好ましく用いることができる。なお、これら樹脂は単独で用いられても良いし、他の樹脂を混合したポリマーアロイとして用いても良いし、ガラス繊維等の強化材といった樹脂以外の材料を混合して用いてもよい。
【００４１】
さらに、図４に示すように、本実施形態の収容体１０は建築物の天井（図４では梁４１）に固定されるので、図５にも示すように、本実施形態の収容体１０には、ガレージ内を照明する目的でランプ１５を設けることができる。そこで、このランプ１５による発熱の影響を考慮して、上記樹脂としては、耐熱性及び低燃焼性を有している種類を好ましく用いることができる。しかも、外箱体１１は本体部３０を覆うように取り付けられるため、多少の弾性を有する樹脂で成形されている方が、外箱体１１の取り付けの作業性を向上することができる。加えて、製造コストや加工性も高いものであることが好ましい。これら耐熱性、低燃焼性、弾性、加工性、低価格等の諸条件を考慮すれば、外箱体１１の材料としては、上記ＡＢＳ樹脂が特に好ましく採用される。
【００４２】
なお、図５に示すように、本実施形態の収容体１０では、ランプ１５の落下を防止するために、ランプ落ち止め部１８が取り付けられていてもよい。このランプ落ち止め部１８の具体的な構成は特に限定されるものではなく、図５に示す構成では、ランプ１５の前面を横断してランプ１５を受け止めるようにバーが設けられる構成となっているが、例えば網目状の構成であってもよいし、放射状の構成であってもよい。
【００４３】
また、外箱体１１は、ネジやボルト等の本体用固定部材を、当該外箱体１１及び本体部３０にそれぞれ形成された固定穴に貫通させることによって取り付けられるが、本発明では、図１（ａ）（ｂ）等に示すように、上記外箱体１１の固定穴１６は、上記本体用固定部材を貫通可能とする幅を有する帯状の孔となっていることが好ましい。一方、上記本体部３０には、当該本体部３０の固定孔に隣接して、上記外箱体１１の固定孔１６に嵌合する突起部３８が設けられていることが好ましい。外箱体１１の固定孔１６が帯状、すなわち、例えばネジ１７を貫通させる程度の円形ではなく、水平方向に広がりを有する孔となっていれば、外箱体１１を本体部３０にはめ込む際に、まず、突起部３８を固定孔１６に嵌合させた上で、ネジ１７で固定する。これによって、万が一、ネジ１７が緩んだとしても、外箱体１１は突起部３８と固定孔１６との嵌合によって容易に落下することがない。しかも、ネジ１７及び突起部３８の双方が固定孔１６に挿入された状態で外箱体１１が取り付けられているので、開口部１１から蓋部材２０を外すときの力が外箱体１１に影響したとしても、外箱体１１の取り付け状態が緩むようなことも回避できる。それゆえ、蓋部材２０の取り外しの安定性をより一層向上することができる。
【００４４】
本実施形態の収容体１０の一例は、図５から図１０の六面図により具体的に示しているが、もちろん本発明はこれに限定されるものではない。傾斜面１３を前面とすれば、図５が底面図、図６が左側面図、図７が右側面図、図８が正面図、図９が背面図、図１０が平面図となる。本実施形態の構成では、図６及び図７に示すように、開口部１２及び蓋部材２０は、前面１３から見て左側に設けられるが、本発明はもちろんこれに限定されるものではなく、右側に設けられてもよい。また、図８及び図９に示すように、本体部３０の上面には、コンセント３９や本体部固定部材４４等が設けられており、さらに図１０に示すように、本実施形態では、梁４１（図中二点鎖線）の交差箇所に収容体１０が固定される構成となっているが、もちろんこれら構成に限定されるものではなく、本発明の属する技術分野において公知の各種構成を適宜採用することができる。
【産業上の利用可能性】
【００４５】
以上のように、本発明に係るドライバ収容体は、建築物の上方に取り付けた場合でも、収容体本体や蓋部材の落下を有効に回避しつつ接続作業の作業性を向上できるようになっている。それゆえ、本発明は、スライド式シャッターの分野に幅広く用いることができる。
【図面の簡単な説明】
【００４６】
【図１】（ａ）は、本発明に係るドライバ収容体に設けられる開口部を蓋部材で閉止した状態の一例を模式的に示す平面図であり、（ｂ）は、（ａ）に示す蓋部材を取り外した状態を模式的に示す平面図である。
【図２】図１（ａ）（ｂ）に示すドライバ収容体における外箱体を取り外した本体部の一例について、前面および左側面の対応関係を模式的に示す平面図である。
【図３】（ａ）は、図１（ａ）に示す蓋部材の具体的な構成の一例を示す側面図であり、（ｂ）及び（ｃ）は、（ａ）に示す蓋部材の要部構成を示す部分側面図である。
【図４】本発明に係るドライバ収容体を備えるスライド式シャッターの一例を模式的に示す側面図である。
【図５】本発明に係るドライバ収容体の一例を模式的に示す底面図である。
【図６】図５に示すドライバ収容体の左側面図である。
【図７】図５に示すドライバ収容体の右側面図である。
【図８】図５に示すドライバ収容体の正面図である。
【図９】図５に示すドライバ収容体の背面図である。
【図１０】図５に示すドライバ収容体の平面図である。
【符号の説明】
【００４７】
１０    ドライバ収容体（収容体）
１１    外箱体
１２    開口部
１３    前面（傾斜面）
１６    （外箱体の）固定孔
１７    ネジ（ビス、本体用固定部材）
２０    蓋部材
２１    爪部材
２３    ネジ（ビス、開口部用固定部材）
３０    本体部
３１    ドライバ
３３    操作パネル（操作部）
３８    （本体部の）突起部
４０    シャッター
【図１】
0005002372.tif 000002
【図２】
0005002372.tif 000003
【図３】
0005002372.tif 000004
【図４】
0005002372.tif 000005
【図５】
0005002372.tif 000006
【図６】
0005002372.tif 000007
【図７】
0005002372.tif 000008
【図８】
0005002372.tif 000009
【図９】
0005002372.tif 000010
【図１０】
0005002372.tif 000011